(57)【特許請求の範囲】
【請求項１】
ボディの開口を観音開き式の先閉じドアと後閉じドアで開閉するようにした自動車のウェザストリップであって、
上記ボディの開口周縁に沿って設けられて車外側に突出する開口部シールと、
上記先閉じドアの先端側の縁に沿って設けられて車外側に突出する先端側シールと、
上記後閉じドアの周縁に沿って設けられて車内側に突出する後閉じシールとを備え、
上記先閉じドアの上記先端側シールの両端部のうちの少なくとも一方の側に、各々上記後閉じドア側に延び、上記先閉じドアが閉じられたときに上記ボディの開口部シールに重なる第１ヒレと、上記ボディの開口部シールよりも外周側において上記ボディの外面に重なる第２ヒレとが設けられ、
上記後閉じドアが閉じられたときに、該ドアの内面が上記開口部シールに当接して上記第１ヒレから上記先閉じドアの先端側シールの本体部に乗り上げ、上記開口部シールよりも外周側において上記後閉じシールが上記ボディの外面に当接して上記第２ヒレから上記先閉じドアの先端側シールの本体部に乗り上げるものであり、
上記第１ヒレと第２ヒレは少なくとも各々の先端部が互いに独立して変形することを特徴とする自動車用ウェザストリップ。
【請求項２】
請求項１において、
上記第１ヒレと第２ヒレは上記先閉じドアの先端側シールの本体部から互いに分岐して上記後閉じドア側へ延びていることを特徴とする自動車用ウェザストリップ。
【請求項３】
請求項１又は請求項２において、
上記第１ヒレ及び第２ヒレ各々は、先端にいくほど薄くなっていることを特徴とする自動車用ウェザストリップ。
【発明の詳細な説明】
【技術分野】
【０００１】
本発明は自動車用ウェザストリップに関する。
【背景技術】
【０００２】
自動車のボディの開口（車室や荷室の開口）に観音開き式のドアを設け、その一方のドアを先に閉じる先閉じドアとし、他方のドアを後から閉じる後閉じドアとしたものは一般に知られている。
【０００３】
この種の自動車では、例えば、特許文献１に記載されているように、ボディの開口周縁に沿って車外側に突出する開口部シールが設けられ、先閉じドアの先端側の縁に沿って上下方向に延び且つ車外側に突出する先端側シールが設けられ、さらに、後閉じドアの周縁に沿って車内側に突出する後閉じシールが設けられている。
【０００４】
先閉じドアを閉じると、該ドアの内面がボディの開口部シールに当接し、ボディ外面視において、先閉じドアの先端側シールと残されたボディの開口部シールとが後閉じドアの周縁部に対応する枠状シール手段を形成した状態になる。そして、後閉じドアを閉じると、該ドア内面の周縁部が枠状シール手段に当接する一方、後閉じシールが枠状シール手段よりも外周側においてボディの開口周りの外面及び先閉じドアの先端側の外面に当接する。
【０００５】
この場合、後閉じドアの内面はボディの開口部シールから先閉じドアの先端側シールに乗り上げ、後閉じドアの後閉じシールはボディの外面から先端側シールに一旦乗り上げて先閉じドアの外面に当接することになる。特許文献２には、先閉じドアの先端側下端部に、後閉じドアのシールがボディの外面から先閉じドアのシールに乗り上げる部分のシール性を高めるために、先閉じドアのシールにリップを設けることが記載されている。このリップはボディの外面に外側から重なるように設けられており、後閉じドアを閉じると、後閉じドアのシールがリップから先閉じドアのシールに乗り上げた状態になる。
【先行技術文献】
【特許文献】
【０００６】
【特許文献１】特開２０１１−２１９０５２号公報
【特許文献２】特許４９３０７８８号公報
【発明の概要】
【発明が解決しようとする課題】
【０００７】
ところで、先閉じドアの先端上側のコーナー部において、後閉じシールがボディの外面から先端側シールに乗り上げる部分のシール性を高めるためには、先端側シールの上縁部に厚さが後閉じドア側に向かって漸次薄くなったヒレ（鰭）を設けることが好ましい。つまり、後閉じシールがヒレから先端側シールの本体部に乗り上げるようにするものである。
【０００８】
しかし、先閉じドアの先端上側のコーナー部の、後閉じドアの内面がボディの開口部シールから先端側シールに乗り上げる部分にも同様に、先端側シールから後閉じドア側に延び且つ上記後閉じシール側のヒレに連なったヒレを設け、後閉じドアの内面がヒレから先端側シールに乗り上げるようにした場合、この後閉じドア内面側のヒレ及び該ヒレに連続して延出する上記後閉じシール側のヒレ）においてシール性に悪影響が出る問題がある。
【０００９】
すなわち、後閉じドアを閉じたときには、ボディの開口部シール及びこれに重なる上述の後閉じドア内面側のヒレが後閉じドアの内面に押圧されて変形する。そして、この後閉じドア内面側のヒレの変形につられて、上記後閉じシール側のヒレが歪み、或いは位置ずれする。後閉じドアを閉じたときのボディの開口部シールの変形は必ずしも一様でないため、上記後閉じドア内面側のヒレの変形の仕方も変わり、それに伴って、上記後閉じシール側のヒレの位置や状態も変わり易い。このように、後閉じドア内面側のヒレの変形に伴って後閉じシール側のヒレのボディ外面に対する当接状態が変わると、上記後閉じシールによるドアのシール性に悪影響が出る。
【００１０】
そこで、本発明は、自動車の観音開き式ドアのシール性をさらに高めることを課題とする。
【課題を解決するための手段】
【００１１】
本発明は、上記課題を解決するために、後閉じシール側のヒレと後閉じドア内面側のヒレが互いに独立して撓るようにした。以下、具体的に説明する。
【００１２】
ここに提示する自動車用ウェザストリップストリップは、ボディの開口を観音開き式の先閉じドアと後閉じドアで開閉するようにした自動車に係るものであり、
上記ボディの開口周縁に沿って設けられて車外側に突出する開口部シールと、
上記先閉じドアの先端側の縁に沿って設けられて車外側に突出する先端側シールと、
上記後閉じドアの周縁に沿って設けられて車内側に突出する後閉じシールとを備え、
上記先閉じドアの上記先端側シールの両端部のうちの少なくとも一方の側に、各々上記後閉じドア側に延び、上記先閉じドアが閉じられたときに上記ボディの開口部シールに重なる第１ヒレと、上記ボディの開口部シールよりも外周側において上記ボディの外面に重なる第２ヒレとが設けられ、
上記後閉じドアが閉じられたときに、該ドアの内面が上記開口部シールに当接して上記第１ヒレから上記先閉じドアの先端側シールの本体部に乗り上げ、上記開口部シールよりも外周側において上記後閉じシールが上記ボディの外面に当接して上記第２ヒレから上記先閉じドアの先端側シールの本体部に乗り上げるものであり、
上記第１ヒレと第２ヒレは少なくとも各々の先端部が互いに独立して変形することを特徴とする。
【００１３】
このウェザストリップストップによれば、先閉じドアを閉じたとき、該ドアの内面がボディの開口部シールに当接し、ボディ外面視において、先閉じドアの先端側シールとボディの開口部シールとが後閉じドアの周縁部に対応する枠状シール手段を形成した状態になる。そして、後閉じドアを閉じると、該ドアの内面がボディの開口部シールに当接して第１ヒレから先閉じドアの先端側シールの本体部に乗り上げた状態になる。また、開口部シールよりも外周側において、後閉じシールがボディの外面に当接して第２ヒレから先閉じドアの先端側シールの本体部に乗り上げた状態になる。
【００１４】
後閉じドアを閉じたときには、ボディの開口部シール及びこれに重なる第１ヒレが変形する。この第１ヒレの変形は必ずしも一様でないものの、第２ヒレは第１ヒレとは別個に変形することができるため、第１ヒレの変形が第２ヒレに及ぼす影響は小さくなる。よって、後閉じドアの内面がボディの開口部シールから先端側シールに乗り上げる部分、並びに後閉じシールがボディの外面から先端側シールに乗り上げる部分において、第１ヒレ及び第２ヒレが共にシール性の向上に有効に働くことになる。
【００１５】
本発明の好ましい態様では、上記第１ヒレと第２ヒレは上記先閉じドアの先端側シールの本体部から互いに分岐して上記後閉じドア側へ延びている。これによれば、第１ヒレと第２ヒレが互いに独立して変形することができ、第１ヒレと第２ヒレの間で互いの変形が影響し合うことが避けられ、シール性の向上に有利になる。
【００１６】
本発明の好ましい態様では、上記第１ヒレ及び第２ヒレ各々は、先端にいくほど薄くなっている。これにより、第１ヒレの先端において後閉じドアの内面とボディの開口部シールの間に隙間が殆ど生じなくなり、また、第２ヒレの先端において後閉じシールとボディの外面の間に隙間が殆ど生じなくなり、シール性の向上に有利になる。
【発明の効果】
【００１７】
本発明によれば、先閉じドアの先端側シールに後閉じドア側に延びる第１ヒレと第２ヒレを設け、後閉じドアが閉じられたときに、該ドアの内面がボディの開口部シールに当接して第１ヒレから先閉じドアの先端側シールの本体部に乗り上げ、開口部シールよりも外周側において後閉じシールがボディの外面に当接して第２ヒレから先閉じドアの先端側シールの本体部に乗り上げるようにするとともに、この第１ヒレと第２ヒレ各々の少なくとも先端部が互いに独立して変形するようにしたから、後閉じドアを閉じたときの、第１ヒレの変形が第２ヒレに及ぼす影響は小さくなり、第１ヒレ及び第２ヒレが共にシール性の向上に有効に働く。
【図面の簡単な説明】
【００１８】
【図１】自動車の斜視図。
【図２】フロントとリヤのドアを閉じた状態の自動車の一部を示す側面図。
【図３】図２からフロンドドアを削除した図。
【図４】図３から後閉じシールを削除した図。
【図５】図４からボディを削除した図。
【図６】ボディの開口部シールの全体構成を示す正面図。
【図７】リヤドアの先閉じシールの全体構成を示す正面図。
【図８】フロントドアの後閉じシールの全体構成を示す正面図。
【図９】先閉じシールのコーナー部の正面図。
【図１０】先閉じシールのコーナー部の斜視図。
【図１１】後閉じシールのコーナー部の斜視図。
【図１２】先閉じシールのコーナー部の背面図。
【図１３】図９のＡ−Ａ線での断面図。
【図１４】図９のＢ−Ｂ線での断面図。
【図１５】図９のＣ−Ｃ線での断面図。
【図１６】図９のＤ−Ｄ線での断面図。
【図１７】フロントとリヤのドアを閉じた状態（ボディ省略）の自動車の一部を示す平面図。
【図１８】図２のＡ−Ａ線での断面図。
【図１９】図２のＢ−Ｂ線での断面図。
【図２０】図２のＣ−Ｃ線での断面図。
【図２１】図２のＤ−Ｄ線での断面図。
【発明を実施するための形態】
【００１９】
以下、本発明を実施するための形態を図面に基づいて説明する。以下の好ましい実施形態の説明は、本質的に例示に過ぎず、本発明、その適用物或いはその用途を制限することを意図するものではない。
【００２０】
図１に示す自動車は、ボディ１の側面の車室乗降用の開口２を観音開き式のフロントドア３とリヤドア４で開閉するようになっている。本実施形態では、リヤドア４が先に閉じられ、その後からフロントドア３が閉じられる。開口２を先閉じのリヤドア４側と後閉じのフロントドア３側とに仕切るピラーは設けられていない。
【００２１】
なお、本発明は、ボディ側面の荷室開口を先閉じドアと後閉じドアで開閉するケースや、ボディ後面の荷室開口を観音開き式の先閉じドアと後閉じドアで開閉するケース等にも適用することができる。
【００２２】
以下、本実施形態を具体的に説明する。なお、以下において、「シール」部材はＥＰＤＭゴムなどのゴムや熱可塑性エラストマーなどによるゴム様弾性体からなっている。
【００２３】
＜ボディ１、ドア３，４及びシールの重なり関係＞
図２はフロントドア３及びリヤドア４を閉じた状態を示す。同図の符号５はリヤドア４の上端側フレーム、符号６はリヤドア４のウィンドガラスである。図３は図２からフロントドア３を削除した図面であり、ボディ１の開口周縁に沿って設けられた図６に示す開口部シール７、リヤドア４の先端側フレーム８、先閉じのリヤドア４の周縁に沿って設けられた図７に示す先閉じシール９、並びに後閉じのフロントドア３の周縁に沿って設けられた図８に示す後閉じシール１０が表されている。図４は図３から後閉じシール１０を削除した図面であり、図５はさらにボディ１を削除した図面である。
【００２４】
図３乃至図５に示すように、リヤドア４の先端側フレーム８は、その外面形状が３段に変化していて、ウインドガラス６側の縁部８ａが車外側に出張り、続いて中間部８ｂ、フロントドア３側の縁部８ｃの順で車内側に引っ込んだ形状になっている。
【００２５】
＜先閉じシール９及び後閉じシール１０の全体構成＞
図７に示すように、先閉じシール９は、ドア上縁、ドア基端側（ヒンジ側）の側縁及びドア下縁に沿って設けられて車内側に突出するインナシール１１と、ドア先端側の縁に沿って設けられて車外側に突出する先端側シール１２とよりなる。インナシール１１はドア基端側の上側コーナー部が型成形され、他の部分は押出成形されている。先端側シール１２は、ドア上側のコーナーシール部１３、ドア下側のコーナーシール部１４、及びこの両者を結ぶ中間シール部１５を備えてなる。さらに、中間シール部１５よりも内周側において上側コーナーシール部１３から自動車のベルトライン位置まで延びるサブシール１６が設けられている。先閉じシール９の上下のコーナーシール部１３，１４は型成形され、他の部分は押出成形されている。なお、図７等において、ラインＬは型成形部と押出成形部の境界を示す。
【００２６】
図８に示すように、後閉じシール１０は、ドア先端上側のコーナーシール部１７、ドア先端下側のコーナーシール部１８及びドア基端上側のコーナーシール部２０が型成形され、ドア上縁に沿って設けられるシール部１９Ａ、ドア基端側の側縁に沿って設けられるシール部１９Ｂ、ドア下縁に沿って設けられるシール部１９Ｃ、並びにドア先端側の縁に沿って設けられるシール部１９Ｄは、いずれも押出成形されている。後閉じシール１０はフロントドア３の内面側に取り付けられて、車内側に突出した状態になる。
【００２７】
＜先閉じシール９の上側のコーナーシール部１３＞
先閉じシール９の上側のコーナーシール部１３は、リヤドア４の先端上側コーナー部の外面側に取り付けられる。図９及び図１０に示すように、このコーナーシール部１３は、サブシール１６に連なり先端側フレーム８のウインドガラス６側の縁部８ａに車外側から被さる基部１３ａ、先端側フレーム８の中間部８ｂに車外側から被さる中間部１３ｂ、及び先端側フレーム８のフロントドア３側の縁部８ｃに車外側から被さる先端部１３ｃを備えている。基部１３ａ及び中間部１３ｂの下端部は下方へいくほど厚さが薄くなっている。先端部１３ｃは中間シール部１５に続いている。
【００２８】
そうして、コーナーシール部１３は、その先端部１３ｃの上部よりフロントドア３側に延び、リヤドア４が閉じられたときにボディ１の開口部シール７に車外側から重なる第１ヒレ２１を備えている。さらに、コーナーシール部１３は、その中間部１３ｂの上端よりフロントドア３側に延び、リヤドア４が閉じられたときにボディ１の開口部シール７よりも外周側の外面１ａに重なる第２ヒレ２２を備えている。
【００２９】
ここに、第１ヒレ２１及び第２ヒレ２２は、先端側シール１２の本体部（コーナーシール部１３）から互いに分岐してフロントドア３側に延びている。すなわち、第１ヒレ２１の基部であるコーナーシール部１３の先端部１３ｃ（図９では中間部１３ｂ寄り）と第２ヒレ２２の間にはスリット２３が設けられている。従って、第１ヒレ２１と第２ヒレ２２は互いに独立して変形することができる。また、第１ヒレ２１は、先端に行くほど上下幅が狭くなり、且つ先端に行くほど厚さが薄くなっている。第２ヒレ２２も、先端に行くほど厚さが薄くなっている。
【００３０】
＜後閉じシール１０の上側コーナーシール部１７＞
後閉じシール１０の上側コーナーシール部１７は、フロントドア３の先端上側コーナー部の内面側に取り付けられる。図９及び図１１に示すように、このコーナーシール部１７は、その上部が、先閉じシール９の上側コーナーシール部１３の基部１３ａ、中間部１３ｂ及び先端部１３ｃに車外側から重なるように幅広に形成されている。そして、コーナーシール部１７は、下方へ行くに従って幅狭になり、先閉じシール９の上側コーナーシール部１３の中間部１３ｂの外面側を下方へ延びて、押出成形されたドア先端側のシール部１９Ｄに続いている。
【００３１】
コーナーシール部１７の上端部は先閉じシール９の第２ヒレ２２に車外側から重なるように配置されている。詳細には、図１２に示すように、フロントドア３の上縁に沿って延びるシール部１９Ａの車内側に突出した中空突出部１９ａは、コーナーシール部１７の車内側に突出した中空突出部１７ａに続いており、この中空突出部１７ａが先閉じシール９の第２ヒレ２２に車外側から重なるようになっている。
【００３２】
＜ヒレ２１，２２におけるシール性＞
リヤドア４を閉じると、その内面の周縁部（ドア上縁側、ドア基端側及びドア下縁側）がボディ１の開口部シール７に当接する。一方、開口部シールよりも外周側において、先閉じシール９のインナシール１１がボディ１の外面に当接し、図７に示すように、先閉じシール９の先端側シール１２が開口部シール７の上辺から下辺に渡った状態になる。その結果、残された自動車前方側の開口部シール７と先端側シール１２がフロントドア３の周縁部に対応する枠状シール手段を形成した状態になる。先閉じシール９の上側のコーナーシール部１３においては、図１０に示すように、第１ヒレ２１がボディ１の開口部シール７に車外側から重なり、第２ヒレ２２がボディ１の外面に重なった状態になる。
【００３３】
次いでフロントドア３を閉じると、その内面の周縁部がボディ１の開口部シール７とリヤドア４の先端側シール１２よりなる枠状シール手段に当接する。一方、枠状シール手段よりも外周側において、後閉じシール１０のシール部１９Ａ〜１９Ｃがボディ１の外面に当接し、フロントドア３の先端側のシール部１９Ｄがリヤドア４の先端側フレーム８の外面に当接する。
【００３４】
そうして、先閉じシール９の上側のコーナーシール部１３においては、図１３に示すように、ボディ１の開口部シール７に当接したフロントドア３の内面が、第１ヒレ２１からコーナーシール部１３の先端部１３ｃに乗り上げた状態になる。また、図１４に示すように、ボディ１の外面に当接した後閉じシール１０のコーナーシール部１７の中空突出部１７ａが、先閉じシール９の第２ヒレ２２からコーナーシール部１３の中間部１３ｂに乗り上げた状態になる。
【００３５】
図１５に示すように、フロントドア３を閉じたときは、ボディ１の開口部シール７及びこれに重なる第１ヒレ２１がフロントドア３の内面に押圧されて変形する。このフロントドア３を閉じたときの開口部シール７の変形は必ずしも一様ではなく、従って、第１ヒレ２１の変形の仕方も変わる。
【００３６】
これに対して、コーナーシール部１３の先端部１３ｃと第２ヒレ２２の間にスリット２３が設けられているため、第２ヒレ２２は第１ヒレ２１の変形の影響を受けず、第１ヒレ２１とは別個に変形することができる。従って、図１６に示すように、フロントドア３が閉じられたとき、第２ヒレ２２は、第１ヒレ２１の変形につられて位置ずれ或いは異常変形することなく、所期の位置でボディ１の外面に当接した状態を保つ。
【００３７】
よって、フロントドア３の内面がボディ１の開口部シール７から先閉じシール９に乗り上げる部分において、第１ヒレ２１によってシール性の向上効果が得られるとともに、後閉じシール１０がボディ１の外面から先閉じシール９に乗り上げる部分においても、第２ヒレ２２によってシール性の向上効果を確実に得ることができる。
【００３８】
＜滲み水の排水構造＞
次に滲み水の排水構造を説明する。なお、この排水構造は、上記した先端側シール１２から延びる互いに分岐した２枚のヒレ２１，２２と必ずしも不可分の機能ではない。
【００３９】
図１４に示すように、先閉じシール９に第２ヒレ２２を設け、ボディ１の外面に当接した後閉じシール１０が第２ヒレ２２から先閉じシール９の本体部に乗り上げるようにした場合、シール性が高まる。しかし、長時間の降雨があるときや洗車用の水が強く当るときには、第２ヒレ２２の先端のボディ１の外面と後閉じシール１０の微小な隙間から水がボディ１の外面を伝ってドア内側に滲みこむことが考えられる。
【００４０】
すなわち、図１２に示す第２ヒレ２２の先端からの矢符Ｒで示す水の滲み込みである。この滲み水対策として、先閉じシール９の先端側シール１２の上側コーナーシール部１３の背面側（リヤドア４に対する取付面側であって、リヤドア４の表面と接触する面）に、水受け３１及び排水路３２が設けられている。
【００４１】
水受け３１は、中間シール部１５からその上方のコーナーシール部１３に延設された延設部によって形成されている。この水受け３１は、その上面に開口した凹部３３を備えている。凹部３３は第２ヒレ２２の先端下方に位置付けられている。図１２及び図１７に示すように、フロントドア３を閉じた状態では、水受け３１は、フロントドア３の先端側の縁に沿って設けられたシール部１９Ｄよりもフロントドア３の基端側に位置する。
【００４２】
図１２に示すように、排水路３２は、排水孔３４とビード３５，３６を備えて形成されている。図１８及び図１９にも示すように、排水孔３４は、先端部１３ｃの先端側にある水受け３１の凹部３３からリヤドア４の基端側に向かって斜め下方に延び、すなわち、図１９に示すように、先端部１３ｃの基端側の中間部１３ｂとの際まで延び、図２０に開口部３４ａを示すように、コーナーシール部１３のリヤドア４に対する取付面側に開口している。
【００４３】
図１２に示すように、ビード３５，３６は、コーナーシール部１３の取付面における中間部１３ｂの部位に形成され、排水孔３４の下端からリヤドア４の基端側に向かって斜め下方に且つ互いに平行になって延びている（図２０，図２１参照）。
【００４４】
コーナーシール部１３をリヤドア４に取り付けると、上記取付面のビード３５，３６がリヤドア４の外面に当接し、上記取付面と上記リヤドア４の外面とビード３５，３６とによって、排水孔３４に連続する排水空間が形成される。斜めに延びる２本のビード３５，３６のうちの下側のビード３６は、コーナーシール部１３の中間部１３ｂの下端まで延び、且つビード３６の下端は基部１３ａの際に位置付けられている。
【００４５】
すなわち、図９及び図１２に示すように、フロントドア３が閉じられたとき、後閉じシール１０のコーナーシール部１７は、先閉じシール９のコーナーシール部１３の中間部１３ｂに重なり、さらに、中間部１３ｂを越えて先端側フレーム８の中間部８ｂの外面に弾接してシールする。具体的には、コーナーシール部１７の下方へ延びるシール部１９Ｄが先端側フレーム８の中間部８ｂの外面に弾接する。言わば、後閉じシール１０のシール面が先閉じシール９のコーナーシール部１３の中間部１３ｂから先端側フレーム８の外面に移っている。
【００４６】
そうして、ビード３６の下端はシール部１９Ｄよりもリヤドア４の基端側に位置付けられているため、ビード３５，３６によって下方へ導かれる水は、リヤドア４におけるシール部１９Ｄよりも基端側の外面、つまり、先端側フレーム８の縁部８ａと中間部８ｂの間に排出されることになる。
【００４７】
従って、上記滲み水が車内に浸入することが避けられるとともに、その滲み水は、リヤドア４の先端側フレーム８の外面を伝って落ち、より詳しくは、後閉じシール１０のコーナーシール部１７から下方に延びるシール部１９Ｄとリヤドア４の先端側フレーム８の縁部８ａの間を伝って下方へ落ち、フロントドア３のインナパネル３ａとアウタパネル３ｂの間や、リヤドア４のインナパネル４ａとアウタパネル４ｂの間には浸入しないから、かかるドアパネルの発錆が避けられる。
【符号の説明】
【００４８】
１    ボディ
２    開口
３    フロントドア
４    リヤドア
７    開口部シール
８    リヤドアの先端側フレーム
９    リヤドア周縁の先閉じシール
１０    フロントドア周縁の後閉じシール
１２    リヤドアの先端側シール
１３    リヤドアの上側コーナーシール部
１５    リヤドアの中間シール部
１６    リヤドア先端側のサブシール
１７    フロントドアの上側コーナーシール部
１９Ａ    フロントドア上縁のシール部
１９Ｄ    フロントドア先端側の縁のシール部
２１    第１ヒレ
２２    第２ヒレ
２３    スリット
３１    水受け
３２    排水路
３３    凹部
３４    排水孔
３５    ビード
３６    ビード
【図１】
0006306949.tif 000002
【図２】
0006306949.tif 000003
【図３】
0006306949.tif 000004
【図４】
0006306949.tif 000005
【図５】
0006306949.tif 000006
【図６】
0006306949.tif 000007
【図７】
0006306949.tif 000008
【図８】
0006306949.tif 000009
【図９】
0006306949.tif 000010
【図１０】
0006306949.tif 000011
【図１１】
0006306949.tif 000012
【図１２】
0006306949.tif 000013
【図１３】
0006306949.tif 000014
【図１４】
0006306949.tif 000015
【図１５】
0006306949.tif 000016
【図１６】
0006306949.tif 000017
【図１７】
0006306949.tif 000018
【図１８】
0006306949.tif 000019
【図１９】
0006306949.tif 000020
【図２０】
0006306949.tif 000021
【図２１】
0006306949.tif 000022